(57)【要約】【課題】開口から露出するウェットティッシュの部分を蓋のヒンジの側に倒伏させておくことができるティッシュ繰り出し容器を提供する。【解決手段】ティッシュ繰り出し容器１０は、開口３８から露出するウェットティッシュ１９の部分１９Ａを蓋１７のヒンジ３４へ向かって倒伏させる弾性的に撓み可能なフラップ４０を有する。フラップ４０は、開口３８を覆う被覆部と、開口３８を越えてヒンジ３４の側に位置する開口周縁部４１上に位置する先端部とを有する。ティッシュ１９の部分１９Ａはフラップ４０に押さえ込まれるとともに開口周縁部４１とフラップ４０の先端部とに挟まれる。【選択図】図１
2006117320.tif 000002
【特許請求の範囲】
【請求項１】
互いに重なり合う複数枚のウェットティッシュを収容し、前記ティッシュの一枚ずつを引っ張り出すことが可能な開口が形成された頂壁を有する容器本体と、前記頂壁にヒンジを介して連なり、前記ヒンジを中心に前記容器本体の前後方向へ揺動可能であって前記開口と該開口を囲繞する開口周縁部とを覆うことが可能な蓋とを含むティッシュ繰り出し容器において、
前記容器本体が、前記頂壁と前記蓋との間に位置する弾性的に撓み可能なフラップを含み、前記フラップは、前記開口を挟んで前記ヒンジの反対側に位置する付根部から前記開口上へ延び、前記ティッシュを引っ張り出すときに前記フラップに対する前記ティッシュの押し上げで前記付根部を支点として上方へ弾性的に反り可能であり、かつ、前記開口から露出する前記ティッシュの部分を前記フラップの弾力によって前記ヒンジへ向かって倒伏させることが可能であることを特徴とする前記容器。
【請求項２】
前記フラップが、前記開口上に位置する被覆部と、前記被覆部に連なって前記開口を越える先端部とを有し、前記先端部が、前記ヒンジの側における前記開口周縁部上に位置する請求項１記載の容器。
【請求項３】
前記開口が前記ヒンジの側へ向かって凹む第１湾曲部を有する請求項１又は２記載の容器。
【請求項４】
前記フラップの前記被覆部及び前記先端部は第１及び第２部分に分割され、前記第１及び第２部分の間に前記付根部へ向かって凹むように第２湾曲部が形成され、前記第１及び第２湾曲部によって中央開口が画成される請求項２又は３に記載の容器。
【請求項５】
前記容器本体が、前記頂壁を含む前記容器本体よりも剛性の、前記開口を囲繞する補強枠を含み、前記補強枠が前記頂壁に一体に形成され、前記蓋が前記頂壁を含む前記容器本体よりも剛性であって前記ヒンジを介して前記補強枠に連接される請求項１ないし請求項４いずれかに記載の容器。
【発明の詳細な説明】
【技術分野】
【０００１】
本発明は、互いに重なり合う複数枚のウェットティッシュを収容し、ティッシュの一枚ずつを順に引っ張り出すことができるティッシュ繰り出し容器に関する。
【背景技術】
【０００２】
従来、互いに重なり合う複数枚のウェットティッシュを包装したティッシュ包装物を収容し、頂壁にティッシュの一枚ずつを引っ張り出すことが可能な開口が形成され、開口を含む頂壁を覆うことが可能な蓋を有するウェットティッシュ詰め替え容器が知られている。かかる容器の一つは、下記特許文献１に開示されている。この容器では、頂壁は、その周縁部が側壁の頂縁部に着脱可能に嵌め込まれている。蓋は、頂壁の周縁部に連接されたヒンジを介して前後方向へ揺動する。容器では、頂壁と側壁との嵌合を解除し、容器から頂壁を取り外すことでティッシュ包装物を詰め替えることができる。ティッシュ包装物を詰め替えた後は、再び頂壁を側壁に嵌合させる。
【０００３】
ウェットティッシュは、その複数枚がティッシュ包装物の内部で垂直方向に積み重なっている。包装物の内部では、個々のウェットティッシュが２つに折り畳まれ、一方のティッシュの折り畳まれた半分が他方のティッシュの折り畳まれた半分どうしの間に介在するように、それらティッシュが互いに重なり合っている。容器からティッシュを取り出すには、蓋を開け、開口から露出するティッシュの部分を指で摘持し、開口を囲繞する開口周縁部の縁とそこに接するティッシュとの間の摩擦抵抗に抗ってティッシュを縦方向上方へ引っ張る。ティッシュの一枚が容器から引っ張り出されると、その下方に位置するティッシュが取り出されたティッシュに引き連れられて開口から露出するので、ティッシュの一枚ずつを容器から順に取り出すことができる。ティッシュを容器から引っ張り出した後は、容器内のティッシュの乾燥を防ぐため、蓋を閉めて開口を塞ぐ。
【特許文献１】特開平８−７２９４９号公報
【発明の開示】
【発明が解決しようとする課題】
【０００４】
前記公報に開示の容器では、開口から露出するウェットティッシュの部分が蓋のヒンジの反対側に倒れると、ティッシュの部分が蓋の周縁を越えて蓋の周縁の外側にはみ出す場合がある。ティッシュの部分が蓋の周縁の外側にはみ出すと、ティッシュの部分が蓋を閉めるときの邪魔になり、蓋を閉めることができなかったり、ティッシュの部分が頂壁と蓋の周縁とに挟まれた状態で蓋が閉められてしまう場合がある。
【０００５】
本発明の目的は、ウェットティッシュが蓋を閉めるときの邪魔にならないように、開口から露出するティッシュの部分を蓋のヒンジの側に倒伏させておくことができるティッシュ繰り出し容器を提供することにある。
【課題を解決するための手段】
【０００６】
前記課題を解決するための本発明は、互いに重なり合う複数枚のウェットティッシュを収容し、前記ティッシュの一枚ずつを引っ張り出すことが可能な開口が形成された頂壁を有する容器本体と、前記頂壁にヒンジを介して連なり、前記ヒンジを中心に前記容器本体の前後方向へ揺動可能であって前記開口と該開口を囲繞する開口周縁部とを覆うことが可能な蓋とを含むティッシュ繰り出し容器の改良に係る。
【０００７】
本発明の特徴は、前記容器本体が、前記頂壁と前記蓋との間に位置する弾性的に撓み可能なフラップを含み、前記フラップは、前記開口を挟んで前記ヒンジの反対側に位置する付根部から前記開口上へ延び、前記ティッシュを引っ張り出すときに前記フラップに対する前記ティッシュの押し上げで前記付根部を支点として上方へ弾性的に反り可能であり、かつ、前記開口から露出する前記ティッシュの部分を前記フラップの弾力によって前記ヒンジへ向かって倒伏させることが可能であることにある。
【０００８】
本発明は、以下の実施態様を含む。
前記フラップは、前記開口上に位置する被覆部と、前記被覆部に連なって前記開口を越える先端部とを有する。前記先端部は、前記ヒンジの側における前記開口周縁部上に位置する。
前記開口は、前記ヒンジの側へ向かって凹む第１湾曲部を有する。
前記フラップの前記被覆部及び前記先端部は、第１及び第２部分に分割され、前記第１及び第２部分の間に前記付根部へ向かって凹むように第２湾曲部が形成される。前記第１及び第２湾曲部によって中央開口が画成される。
前記容器本体は、前記頂壁を含む前記容器本体よりも剛性の、前記開口を囲繞する補強枠を含む。前記補強枠は、前記頂壁に一体に形成される。前記蓋は、前記頂壁を含む前記容器本体よりも剛性であって前記ヒンジを介して前記補強枠に連接される。
【発明の効果】
【０００９】
本発明に係るティッシュ繰り出し容器によれば、弾性的に撓み可能なフラップが開口から露出するウェットティッシュの部分を蓋のヒンジへ向かって倒伏させるので、ティッシュの部分がヒンジ反対側に倒伏することはない。容器は、ウェットティッシュが開口から大きく露出したとしても、ティッシュの部分が蓋のヒンジへ向かって倒伏し、該部分がヒンジの側に位置するので、ティッシュの部分が蓋の周縁の外側にはみ出すことはない。この容器は、ティッシュの部分が蓋を閉めるときの邪魔にならず、蓋を確実に閉めることができるとともに、ティッシュの部分が頂壁と蓋の周縁とに挟まれた状態で蓋が閉められてしまうことがない。
【００１０】
フラップの先端部がヒンジの側における開口周縁部上に位置している態様では、開口から露出するウェットティッシュが開口周縁部とフラップの先端部とに挟まれるので、ティッシュの部分がヒンジの反対側へ向かって倒伏することはなく、フラップを介してティッシュの部分を蓋のヒンジへ向かって確実に倒伏させることができる。
【００１１】
開口がヒンジの側へ向かって凹む第１湾曲部を有し、さらに、フラップの被覆部及び先端部が第１及び第２部分に分割され、第１及び第２部分の間にフラップの付根部へ向かって凹むように第２湾曲部が形成され、第１及び第２湾曲部によって中央開口が画成される態様では、容器の使用に際して、中央開口へ指を差し込んで、容器の内部に収容されたウェットティッシュを容易に摘持することができる。
【００１２】
容器本体が、頂壁を含む容器本体よりも剛性の、開口を囲繞する補強枠を含み、補強枠が頂壁に一体に形成され、蓋が頂壁を含む容器本体よりも剛性であってヒンジを介して補強枠に連接される態様では、容器本体を可撓性材料から形成する場合でも、補強枠及び蓋による容器本体の形態保持及び蓋の開閉操作が確実な容器を提供することができる。
【発明を実施するための最良の形態】
【００１３】
添付の図面を参照し、本発明に係るティッシュ繰り出し容器の詳細を説明すると、以下のとおりである。
【００１４】
図１は蓋１７を開けた状態の一例として示すティッシュ繰り出し容器１０の斜視図、図２は図１の２−２線矢視断面図、図３はティッシュ包装物２０とプレート２４，２５とを取り外した状態の容器１０の斜視図、図４は容器１０から取り外したプレート２４，２５の平面図である。図１，２では、垂直方向を矢印Ｌ、横方向を矢印Ｍ（図１のみ）で示し、前後方向を矢印Ｎで示す。図１，２には、ウェットティッシュ１９の部分１９Ａが開口３８から容器１０の外側に露出した状態が示されている。
【００１５】
容器１０は、垂直縦方向へ対向する矩形の頂底壁１１，１２と、前後方向へ対向して垂直方向へ延びる矩形の前後側壁１３，１４と、横方向へ対向して垂直方向へ延びる矩形の左右側壁１５，１６とから形成される容器本体１０Ａと、頂壁１１に取り付けられた蓋１７とから構成されている。容器本体１０Ａは、可撓性のそれら壁１１，１２，１３，１４，１５，１６が実質的に直交する六面体である。容器本体１０Ａには、それら壁１１，１２，１３，１４，１５，１６に囲繞されたティッシュ収納部１８が画成されている。収納部１８には、複数枚のウェットティッシュ１９を包装したティッシュ包装物２０が収容されている。
【００１６】
頂壁１１は、その周縁部２１が可撓性プラスチックシートから形成され、その下面に２枚の第１および第２プレート２４，２５が位置している。頂壁１１の中央域には矩形の貫通孔２６が形成され、貫通孔２６にそれらプレート２４，２５の一部が臨んでいる。頂壁１１には、貫通孔２６を囲繞する補強枠２７が取り付けられている。補強枠２７は、頂壁１１よりも高い曲げ剛性を有するプラスチック材料から作られ、頂壁１１の周縁部２１の上面に固定されている。蓋１７は、その内面に突縁部３５と、その前側中央部に突起３５ａと、先端に指掛け部１７Ａとを有する。蓋１７が閉じられたとき、突起３５ａと係合する突起２８ａが補強枠２７の突縁部２８に形成されている。底壁１２は、その全体が可撓性プラスチックシートから形成されている。前後側壁１３，１４と左右側壁１５，１６とは、繊維不織布から形成されている。頂底壁１１，１２とそれら側壁１３，１４，１５，１６とは、縫製によって連結されている。
【００１７】
前後側壁１３，１４と左右側壁１５，１６との縦方向中央には、容器本体１０Ａの周り方向へ延びるジッパー３０が取り付けられている。ジッパー３０は、それら側壁１３，１４，１５，１６に縫製によって連結されたジッパーテープ３１，３２と、それらに取り付けられたスライダー３３とから構成されている。スライダー３３を容器本体１０Ａの周り方向へ移動させることで、ジッパーテープ３１，３２どうしを係合させたり、それらどうしの係合を解除することができる。
【００１８】
蓋１７は、頂壁１１よりも高い曲げ剛性を有するプラスチック材料から作られ、横方向へ長い矩形を呈する。蓋１７は、ヒンジ３４を介して容器本体１０Ａの前後方向へ揺動可能である。ヒンジ３４は、補強枠２７に連接されて頂壁１１につながっている。図１の状態から蓋１７を前方向へ揺動させると、蓋１７の突起３５ａが補強枠２７の突起２８ａの下方にスナップ係合し、蓋１７を閉じた状態が維持される。閉じた状態にある蓋１７を後方向へ揺動させると、突起２８ａ，３５ａの互いの係合が解かれ、蓋１７を開けることができる。
【００１９】
第１および第２プレート２４，２５は、頂壁１１よりも高い曲げ剛性を有するプラスチック材料から作られ、同形同大の横方向へ長い矩形を有する。第１プレート２４は、第２プレート２５の下方に位置している。それらプレート２４，２５は、上下に互いに重なり合った状態で当接する面どうしが固定されている（後記するフラップ４０を除く）。第２プレート２５は、その周縁部３７が頂壁１１の周縁部２１の内面に固定されている。第１及び第２プレート２４，２５の中央部には、ティッシュ１９の一枚ずつを引っ張り出すことが可能な開口３８，３９が形成されている。開口３８は、横方向へ長く、その後側中央部においてヒンジ３４の側へ向かって凹む湾曲部４６を有し、開口３９はほぼ楕円形で開口３８と重なっている。
【００２０】
容器本体１０Ａは、開口３８から露出するウェットティッシュ１９の部分１９Ａをヒンジ３４へ向かって倒伏させる弾性的に撓み可能なフラップ４０を含む。フラップ４０は、第２プレート２５の中央域に形成されて頂壁１１と蓋１７との間に位置し、開口３８，３９の前側中央部における周縁部の近傍に付根部４２を有し、付根部４２からヒンジ３４へ向かって開口３８，３９上にほぼ水平に延びている。フラップ４０は、開口３８を跨ぎ、付根部４２を介して上方へ弾性的に反り可能である。フラップ４０は、開口３８上に位置して開口３８を覆う一対の被覆部４４と、被覆部４４に連なって開口３８を越える先端部４５とを有する。付根部４２は、開口３８を挟んでヒンジ３４の反対側に位置し、ヒンジ３４と対向している。フラップ４０の上下への曲げ剛性は、先端部４５が最も高く、付根部４２が最も低い。フラップ４０には、一対の被覆部４４の間に、付根部４２の側へ向かって凹み、開口３８の湾曲部４６と対向して中央開口５０を画成する湾曲部４７が形成されている。先端部４５は、ヒンジ３４の側に位置する開口周縁部４１上に位置しこれと重なっている。
【００２１】
ウェットティッシュ１９は、平面形状が矩形を有し、その複数枚がティッシュ包装物２０の内部で縦方向に積み重なっている。包装物２０の内部では、個々のウェットティッシュ１９が２つに折り畳まれ、一方のティッシュ１９の折り畳まれた半分が他方のティッシュ１９の折り畳まれた半分どうしの間に介在するように、それらティッシュ１９が互いに重なり合っている。包装物２０は、柔らかいフィルムから作られている。包装物２０の頂部には、ティッシュを取り出すための横方向へ長い取出口５２が形成されている。使用前の包装物２０は、頂部に剥離可能に貼付された剥離シート（図示せず）によって取出口５２が塞がれている。頂部から剥離シートを剥がすと、頂部において取出口５２が露出し、包装物２０内からティッシュ１９の１枚ずつを順に取り出すことができる。
【００２２】
図５は、ウェットティッシュ１９を引っ張り出す途中の状態の容器１０の斜視図である。以下、この容器１０を使用する手順を説明する。容器本体１０Ａにティッシュ包装物２０をセットするには、最初にスライダー３３を移動させてジッパーテープ３１，３２どうしの係合を解除する。ジッパーテープ３１，３２どうしの係合を解くと、容器本体１０Ａの前後壁１３，１４と左右側壁１５，１６とが縦方向に分断され、頂底壁１１，１２を互いに離間させるように容器本体１０Ａを上方へ開くことができ、ティッシュ収納部１８の口を開けることができる。収納部１８の口を開けて取出口５２を露出させた包装物２０を収納部１８に入れ、再びスライダー３３を移動させてジッパーテープ３１，３２どうしを係合させる。次に、蓋１７を開け、中央開口５０から収納部１８に指を入れ、収納部１８に位置するティッシュ１９を指で摘持し、開口３８から容器本体１０Ａの外側にティッシュ１９の部分１９Ａを露出させた後、蓋１７を閉める。開口３８からティッシュ１９の部分１９Ａを露出させるときには、フラップ４０が付根部４２を支点としてフラップ４０に対するティッシュ１９の押し上げで上方へ弾性的に反るが、部分１９Ａを露出させた後にティッシュ１９から指を離すと、フラップ４０がその弾力でヒンジ３４へ向かって開口３８上に復元する。開口３８から露出するティッシュ１９の部分１９Ａは、フラップ４０に押さえ込まれるとともに、ヒンジ３４の側における開口周縁部４１とフラップ４０の先端部４５とに挟まれ、ヒンジ３４へ向かって倒伏する。
【００２３】
容器１０からウェットティッシュ１９を取り出すには、蓋１７を開け、開口３８から露出するティッシュ１９の部分１９Ａを指で摘持し、開口周縁部４１の縁とそこに接するティッシュ１９との間の摩擦抵抗に抗ってティッシュ１９を上方へ引っ張る。図４に示すように、ティッシュ１９を上方へ引っ張ると、フラップ４０が付根部４２を支点としてフラップ４０に対するティッシュ１９の押し上げで上方へ弾性的に反り、ティッシュ１９が開口３８から除々に露出する。ティッシュ１９の一枚が容器１０から引っ張り出されると、その下方に位置するティッシュ１９が取り出されたティッシュ１９に引き連れられて開口３８から露出するので、ティッシュ１９の一枚ずつを容器１０から順に取り出すことができる。ティッシュ１９の一枚を容器１０から取り出すと、フラップ４０がヒンジ３４の側へ向かって開口３８上に復元する。開口３８から露出したティッシュ１９の部分１９Ａは、フラップ４０に押さえ込まれるとともに、開口周縁部４１とフラップ４０の先端部４５とに挟まれ、ヒンジ３４の側へ向かって倒伏する。ティッシュ１９を容器１０から引っ張り出した後は、収納部１８内のティッシュ１９の乾燥を防ぐため、蓋１７を閉めて開口３８と開口周縁部４１とを覆う。なお、包装物２０内のティッシュ１９を使い切った後は、スライダー３３を移動させてジッパーテープ３１，３２どうしの係合を解き、収納部１８の口を開いて新しい包装物２０を収納部１８に入れる。
【００２４】
容器１０は、フラップ４０が開口３８から露出するウェットティッシュ１９の部分１９Ａを蓋１７のヒンジ３４の側へ向かって倒伏させるので、部分１９Ａがヒンジ３４の反対側（付根部４２の側）に倒伏することはない。容器１０は、開口３８から露出するティッシュ１９の部分１９Ａが開口周縁部４１とフラップ４０の先端部４５とに挟まれるので、フラップ４０を介して部分１９Ａをヒンジ３４の側へ向かって確実に倒伏させることができる。容器１０は、ティッシュ１９が開口３８から大きく露出したとしても、ティッシュ１９の部分１９Ａがヒンジ３４の側へ向かって倒伏し、部分１９Ａがヒンジ３４に当接するので、部分１９Ａが蓋１７の周縁の外側にはみ出すことはない。容器１０は、開口３８から露出するティッシュ１９の部分１９Ａが蓋１７を閉めるときの邪魔にならず、蓋１７を確実に閉めることができるとともに、部分１９Ａが補強枠２７（頂壁１１）と蓋１７の周縁とに挟まれた状態で蓋１７が閉められてしまうことがない。
【００２５】
容器１０は、中央開口５０に指を入れて収納部１８内に位置するウェットティッシュ１９を摘持することができるので、フラップ４０の先端部４５が収納部１８内のティッシュ１９を摘持するときの邪魔にならず、フラップ４０を上方へ反らせることなくティッシュ１９を摘持することができる。容器１０は、収納部１８から最初のティッシュ１９を簡単に引っ張り出すことができるのみならず、容器１０の使用中にティッシュ１９が収納部１８内に引っ込んでしまった場合でも、引っ込んだティッシュ１９を中央開口５０から容器１０の外側に簡単に引っ張り出すことができる。
【００２６】
容器１０は、フラップ４０の付根部４２における曲げ剛性が低く、容器１０からウェットティッシュ１９を引っ張り出すときに、フラップ４０が付根部４２を介して上方へ容易に反るので、フラップ４０が容器１０からティッシュ１９を引っ張り出すときの抵抗となることはなく、容器１０からティッシュ１９を円滑に取り出すことができる。容器１０は、包装物２０内のティッシュ１９を使い切った後でも、新しい包装物２０を補充すればよいから、繰り返して使用することができる。
【００２７】
図６は、蓋１７を開けた状態の他の一例として示すティッシュ繰り出し容器１０の斜視図、図７は図６の７−７線矢視断面図である。図６，７では、垂直方向を矢印Ｌ、横方向を矢印Ｍ（図６のみ）で示し、前後方向を矢印Ｎで示す。図６，７には、ウェットティッシュ１９の部分１９Ａが開口３８から容器１０の外側に露出した状態が示されている。
【００２８】
容器１０は、垂直方向へ対向する矩形の頂底壁１１，１２と、前後方向へ対向して垂直方向へ延びる矩形の前後側壁１３，１４と、横方向へ対向して垂直方向へ延びる矩形の左右側壁１５，１６とから形成される容器本体１０Ｂと、頂壁１１に取り付けられた蓋１７とから構成されている。容器本体１０Ｂは、それら壁１１，１２，１３，１４，１５，１６が実質的に直交する六面体である。容器本体１０Ｂには、それら壁１１，１２，１３，１４，１５，１６に囲繞されたティッシュ収納部１８が画成されている。収納部１８には、既述の実施形態と同様の複数枚のウェットティッシュ１９を包装したティッシュ包装物２０が収容されている。容器本体１０Ｂと蓋１７とは、比較的剛性なプラスチック材料から作られている。
【００２９】
頂壁１１は、その周縁部２１が側壁１３，１４，１５，１６の頂縁部５３に着脱可能に嵌め込まれている。頂壁１１の中央部５４には、ウェットティッシュ１９の一枚ずつを引っ張り出すことが可能な横方向へ長い開口３８が形成されている。蓋１７は、その内面へ屈曲する突縁５５と、その前側中央部に位置する凹部５５ａと、前端上面に指掛け部１７Ａとを有する。蓋１７が閉じられたとき、凹部５５ａと係合する突起５６ａが頂壁１１の周縁部５６の内側に形成されている。頂壁１１には、開口３８から露出するティッシュ１９の部分１９Ａを蓋１７のヒンジ３４の側へ向かって倒伏させる弾性的に撓み可能なフラップ４０が取り付けられている。
【００３０】
蓋１７は、頂壁１１の周縁部２１に連接されたヒンジ３４を介して前後方向へ揺動可能である。図６の状態から蓋１７を前方へ揺動させると、突起５６ａが凹部５５ａに係合し、蓋１７を閉じた状態が維持される。閉じた状態にある蓋１７を後方へ揺動させると、突起５６ａと凹部５５ａとの係合が解かれ、蓋１７を開けることができる。蓋１７は、開口３８と開口３８を囲繞する開口周縁部４１とを覆うことが可能である。
【００３１】
フラップ４０は、横方向へ長い矩形を有し、頂壁１１と蓋１７との間に位置している。フラップ４０は、開口の前側周縁部４１に固定された付根部４２を有し、付根部４２からヒンジ３４の側へ向かって開口３８上に延びる。フラップ４０は、付根部４２を支点としてフラップ４０に対するウェットティッシュ１９の押し上げで上方へ弾性的に反り可能である。フラップ４０は、開口３８上に位置して開口３８を覆う被覆部４４と、被覆部４４に連なって開口３８を越える先端部４５とを有する。先端部４５は、ヒンジ３４の側に位置する開口周縁部４１上に位置している。
【００３２】
以下、この容器１０を使用する手順を説明する。容器本体１０Ｂにティッシュ包装物２０をセットするには、頂壁１１と側壁１３，１４，１５，１６との嵌合を解き、容器本体１０Ｂから頂壁１１を取り外し、取出口５２を露出させた包装物２０を収納部１８に入れ、再び頂壁１１と側壁１３，１４，１５，１６とを嵌合させる。次に、蓋１７を開け、フラップ４０を指で摘持し、フラップ４０を上方へ反らせて開口３８を露出させ、開口３８から容器１０の外側にウェットティッシュ１９の部分１９Ａを露出させた後、蓋１７を閉める。部分１９Ａを露出させた後にフラップ４０から指を離すと、フラップ４０が弾力でヒンジ３４の側へ向かって開口３８上に復元する。開口３８から露出するティッシュ１９の部分１９Ａは、フラップ４０に押さえ込まれるとともに、開口周縁部４１とフラップ４０の先端部４５とに挟まれ、ヒンジ３４の側へ向かって倒伏する。
【００３３】
容器１０からウェットティッシュ１９を取り出すには、蓋１７を開け、開口３８から露出するティッシュ１９の部分１９Ａを指で摘持し、開口周縁部４１の縁とそこに接するティッシュ１９との間の摩擦抵抗に抗ってティッシュ１９を上方へ引っ張る。ティッシュ１９を上方へ引っ張ると、フラップ４０が付根部４２を支点としてフラップ４０に対する押し上げで上方へ弾性的に反り、ティッシュ１９が開口３８から除々に露出する。ティッシュ１９の一枚が容器１０から引っ張り出されると、その下方に位置するティッシュ１９が取り出されたティッシュ１９に引き連れられて開口３８から露出するので、ティッシュ１９の一枚ずつを容器１０から順に取り出すことができる。ティッシュ１９の一枚を容器１０から取り出すと、フラップ４０がその弾力でヒンジ３４の側へ向かって開口３８上に復元する。開口３８から露出したティッシュ１９の部分１９Ａは、フラップ４０に押さえ込まれるとともに、開口周縁部４１とフラップ４０の先端部４５とに挟まれ、ヒンジ３４の側へ向かって倒伏する。ティッシュ１９を容器１０から引っ張り出した後は、収納部１８内のティッシュ１９の乾燥を防ぐため、蓋１７を閉めて開口３８と開口周縁部４１とを覆う。
【図面の簡単な説明】
【００３４】
【図１】一例として示すティッシュ繰り出し容器の斜視図。
【図２】図１の２−２線矢視断面図。
【図３】プレートとティッシュ包装物とを取り外した状態の容器の斜視図。
【図４】容器から取り外したプレートの平面図。
【図５】ウェットティッシュを引っ張り出す途中の状態の容器の斜視図。
【図６】他の一例として示すティッシュ繰り出し容器の斜視図。
【図７】図６の７−７線矢視断面図。
【符号の説明】
【００３５】
１０    容器
１０Ａ，１０Ｂ    容器本体
１１    頂壁
１７    蓋
１８    ティッシュ収納部
１９    ウェットティッシュ
１９Ａ    部分
２７    補強枠
３４    ヒンジ
３８    開口
４０    フラップ
４１    開口周縁部
４２    付根部
４４    被覆部
４５    先端部
４６，４７    湾曲部
５０    中央開口
【図１】
2006117320.tif 000003
【図２】
2006117320.tif 000004
【図３】
2006117320.tif 000005
【図４】
2006117320.tif 000006
【図５】
2006117320.tif 000007
【図６】
2006117320.tif 000008
【図７】
2006117320.tif 000009